【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
以下の工程を含む、ブランクレンズの少なくとも片方の幾何輪郭が付された表面に皮膜を転写する方法：
- 少なくとも片面に幾何輪郭が付されたブランクレンズを準備する工程；
- 皮膜を担持する内表面と、外表面とを有する支持体を準備する工程；
- 前記ブランクレンズの前記幾何輪郭が付された表面上、または前記皮膜上に、所定配分量の硬化性接着剤を置く工程；
- 前記ブランクレンズおよび前記支持体を互いに相対移動させて、前記皮膜を前記硬化性接着剤と接触させるか、該硬化性接着剤を前記ブランクレンズの前記幾何輪郭が付された表面と接触させる工程；
- 硬化後の最終接着剤層の厚みが１００μｍ未満となるように、前記支持体の外表面を適切な加圧により押圧する工程；
- 前記接着剤を硬化する工程；および
- 成形型を引き離して、前記幾何輪郭が付された表面上に接着された皮膜を有するブランクレンズを回収する工程。
【請求項２】
前記成形型が、前記ブランクレンズの前記幾何輪郭が付された表面に対応一致する内表面をもつ硬質の成形型である請求項１に記載の方法。
【請求項３】
前記成形型が、前記ブランクレンズとの接触時、該ブランクレンズの前記幾何輪郭が付された表面に一致する内表面をもつ可撓性成形型である請求項１に記載の方法。
【請求項４】
前記成形型が、プラスチック材料製である請求項２に記載の方法。
【請求項５】
前記成形型が、ポリカーボネート製である請求項２に記載の方法。
【請求項６】
前記成形型が、プラスチック材料製である請求項３に記載の方法。
【請求項７】
前記成形型が、ポリカーボネート製である請求項３に記載の方法。
【請求項８】
前記成形型の厚みが、０．３〜１ｍｍである請求項３に記載の方法。
【請求項９】
前記ブランクレンズの前記幾何輪郭が付された表面が、光学表面である請求項１に記載の方法。
【請求項１０】
前記ブランクレンズの前記幾何輪郭が付された表面の粗さＳｑが、１０-3〜２μｍの範囲である請求項１に記載の方法。
【請求項１１】
前記硬化後の最終接着剤層の厚みが、８０μｍ未満である請求項１に記載の方法。
【請求項１２】
前記硬化後の最終接着剤層の厚みが、５０μｍ未満である請求項１に記載の方法。
【請求項１３】
前記硬化後の最終接着剤層の厚みが、１〜３０μｍの範囲である請求項１に記載の方法。
【請求項１４】
前記加圧が、５〜３０Psiである請求項１に記載の方法。
【請求項１５】
前記皮膜が、反射防止膜層、耐磨耗性膜層、耐衝撃性膜層、コーティング層、フォトクロミック膜層、染色膜層、偏光、または２以上のこれら皮膜層の積層、印刷層を含む請求項１に記載の方法。
【請求項１６】
前記皮膜の厚みが、５０μｍ以下である請求項１５に記載の方法。
【請求項１７】
前記ブランクレンズが、片面に予め皮膜が付与された半仕上げレンズである請求項１に記載の方法。
【請求項１８】
前記予め皮膜を設けた面が、その背面に皮膜が転写されるレンズの前面で、かつ幾何輪郭が付された表面である請求項１７に記載の方法。
【請求項１９】
以下の工程を含む、ブランクレンズの幾何輪郭が付された両面に皮膜を転写する方法：
- 両面に幾何輪郭が付されたブランクレンズを準備する工程；
- それぞれが内表面と外表面とを有する２つの別々の成形型を準備する工程；
- 前記各成形型の内表面それぞれに、皮膜を形成する工程；
- 前記ブランクレンズの前記幾何輪郭が付された表面上、または前記皮膜上に、所定配分量の硬化性接着剤を置く工程；
- ブランクレンズ上に成形型を閉型する工程；
- 硬化後の最終接着剤層の厚みが１００μｍ未満となるように、少なくとも一方の前記成形型の外表面を適切な加圧により押圧して接着剤総量を延展する工程；
- 前記接着剤を硬化する工程；および
- 各成形型を引き離して、その幾何輪郭が付された両面それぞれに接着された皮膜を有するブランクレンズを回収する工程。
【請求項２０】
前記各成形型が、前記ブランクレンズの前記幾何輪郭が付された表面に対応一致する内表面をもつ硬質の成形型である請求項１９に記載の方法。
【請求項２１】
前記成形型が、該成形型の閉型により前記ブランクレンズの前記幾何輪郭が付された表面に一致する内表面をもつ可撓性成形型である請求項１９に記載の方法。
【請求項２２】
前記成形型が、プラスチック材料製である請求項２０または２１に記載の方法。
【請求項２３】
前記成形型が、ポリカーボネート製である請求項２２に記載の方法。
【請求項２４】
前記成形型の厚みが、１ｍｍ以下である請求項１９に記載の方法。
【請求項２５】
前記ブランクレンズの前記幾何輪郭が付された表面が、光学表面である請求項１９に記載の方法。
【請求項２６】
前記ブランクレンズの前記幾何輪郭が付された表面の粗さＳｑが、１０-3〜２μｍの範囲である請求項１９に記載の方法。
【請求項２７】
前記硬化後の最終接着剤層の厚みが、８０μｍ未満である請求項１９に記載の方法。
【請求項２８】
前記硬化後の最終接着剤層の厚みが、５０μｍ未満である請求項１９に記載の方法。
【請求項２９】
前記硬化後の最終接着剤層の厚みが、１〜３０μｍの範囲である請求項１９に記載の方法。
【請求項３０】
前記加圧が、５〜５０Psi、好ましくは５〜３０Psi、より好ましくは５〜２０Psiである請求項１９に記載の方法。
【請求項３１】
前記皮膜が、反射防止膜層、耐磨耗性膜層、耐衝撃性膜層、偏光膜層、フォトクロミック膜層、染色膜層、または２以上のこれら皮膜層の積層、印刷層を含む請求項１９に記載の方法。
【請求項３２】
前記皮膜の厚みが、５０μｍ以下である請求項３１に記載の方法。
【請求項３３】
前記可撓性成形型が、膨張膜の手段により、ブランクレンズに密接される請求項３に記載の方法。
【請求項３４】
前記ブランクレンズの前記幾何輪郭が付された表面が逆球面であり、前記可撓性成形型の底面曲率（ＢＣ）と、前記ブランクレンズの球面の底面曲率（ＢＬ）とが、
０＜ＢＣ−ＢＬ＜１．５
の関係を満たす請求項３３に記載の方法。
【請求項３５】
０．２＜ＢＣ−ＢＬ＜１
である請求項３４に記載の方法。
【請求項３６】
前記ブランクレンズの前記幾何輪郭が付された表面が逆円柱状面であり、前記可撓性成形型の底面曲率（ＢＣ）と、前記ブランクレンズの円柱状面の底面曲率（ＢＬR，ＢＬr）とが、ＢＬR＜ＢＬr  かつ
ａ）ＢＬr−ＢＬR≦３．５である場合には、
０＜ＢＣ−ＢＬR＜３      ｝
｜ＢＣ−ＢＬr｜＜１      ｝
ｂ）ＢＬr−ＢＬR＞３．５である場合には、
ＢＬR＜ＢＣ＜ＢＬr
の関係を満たす請求項３３に記載の方法。
【請求項３７】
（ａ）において、
０．２＜ＢＣ−ＢＬR＜２．５      ｝
｜ＢＣ−ＢＬr｜＜０．５      ｝
である請求項３６に記載の方法。
【請求項３８】
下記からなる膨張膜装置：
- 上面および下面、および流入口を有し、該下面の一部が膨張性膜で形成される流量積算計、および
- 前記積算計の前記下面から外方側に突出し、その大底面は、前記膨張膜の少なくとも一部で塞がれ、その小底面が円形開口を形成する円錐部
これらにより、圧力流体が前記積算計に導入されると、前記膨張膜は前記円錐部により変形する。
【請求項３９】
前記円錐部の高さが、１０〜５０ｍｍの範囲である請求項３８に記載の膨張膜装置。
【請求項４０】
前記円錐部のテーパが、１０〜９０°、好ましくは３０〜５０°の範囲である請求項３８に記載の膨張膜装置。
【請求項４１】
前記膜が光透明性膜であり、前記積算計の前記膨張膜の１つの透明部からなる請求項３８に記載の膨張膜装置。
【請求項４２】
皮膜と該皮膜上に置かれた所定配分量の硬化性接着剤とを担持する内表面をもつ皮膜支持体を含む成形型。